(57)【要約】【課題】  より正確な血圧測定を可能とする。【解決手段】  血圧測定開始前に、複数種類の測定条件のうちから、所定の測定条件を測定スイッチ６、７、８のうちのいずれかを操作することで選択すると、当該選択の操作がされたことに応じてカフ２１への加圧が開始されて血圧測定が開始する。血圧測定により得られた血圧のデータと選択された所定の測定条件とは関連付けされてメモリ１２に格納される。このように、測定スイッチ操作により所定の測定条件が選択されると、血圧測定が開始されるので、測定開始の指示スイッチ操作と所定の選択条件の選択操作とを兼用できる。したがって、別途、測定条件を入力する操作を省略できる。また測定条件の入力し忘れおよび測定条件の誤入力を防止できる。【選択図】        図２
2006158879.tif 000002
【特許請求の範囲】
【請求項１】
血圧測定部位に装着する腕帯と、前記腕帯に加える圧力を調整する加圧・減圧手段、前記加圧・減圧手段により調整される前記腕帯内の圧力を検出する圧力検出手段および前記圧力検出手段による検出圧力に基づき血圧を算出する血圧算出手段を有する血圧測定手段と、前記血圧算出手段により出力された血圧のデータを記憶する記憶部と、少なくとも前記血圧のデータを表示する表示部、とを備えた電子血圧計において、さらに、
前記血圧測定手段による血圧測定開始前に、複数種類の測定条件のうちから、所定の測定条件を選択する選択手段と、
前記選択手段により前記所定の測定条件の選択がされたことに応じて前記血圧測定手段による血圧測定を開始させる制御手段と、
前記血圧算出手段により出力された前記血圧のデータと前記選択手段により選択された前記所定の測定条件とを関連付けて前記記憶部に格納するデータ格納手段とを備える、電子血圧計。
【請求項２】
前記選択手段は、測定開始を指示するために外部から操作される操作部と兼用されることを特徴とする、請求項１に記載の電子血圧計。
【請求項３】
前記操作部は、前記複数種類の測定条件それぞれが対応付けされた複数のスイッチを有し、
前記複数のスイッチのいずれかが操作されることに応じて、当該スイッチに対応付けされた種類の前記測定条件が前記所定の測定条件として選択されて、
前記複数種類の測定条件には、「起床後」および「就寝前」それぞれにおける血圧測定であることを示す測定条件が含まれることを特徴とする、請求項２に記載の電子血圧計。
【請求項４】
前記操作部は、前記複数種類の測定条件それぞれが対応付けされた複数のスイッチを有し、
前記複数のスイッチのいずれかが操作されることに応じて、当該スイッチに対応付けされた前記測定条件が前記所定の測定条件として選択されて、
前記複数種類の測定条件には、「服薬前」、「服薬後」、「運動前」および「運動後」のそれぞれにおける血圧測定であることを示す測定条件が含まれることを特徴とする、請求項２に記載の電子血圧計。
【請求項５】
前記データ格納手段は、血圧測定毎に、前記選択された前記所定の測定条件と前記血圧のデータとを対にして前記記憶部に格納することを特徴とする、請求項１に記載の電子血圧計。
【請求項６】
前記記憶部には、前記複数種類の測定条件のそれぞれ毎に記憶領域が設けられて、
前記データ格納手段は、血圧測定毎に、前記選択された前記所定の測定条件に該当の前記記憶領域に前記血圧のデータを格納することを特徴とする、請求項１に記載の電子血圧計。
【請求項７】
前記記憶部に格納された同一の前記測定条件の下で測定された少なくとも１個の前記血圧のデータを含む血圧データ群と、異なる前記測定条件下で測定された前記血圧データ群との相互関係に基づく評価量を算出する手段をさらに備える、請求項１に記載の電子血圧計。
【請求項８】
前記血圧測定手段による血圧測定開始前に、被測定者に前記選択手段を用いて前記所定の測定条件を選択するように促す選択要求を提示する選択要求手段をさらに備える、請求項１に記載の電子血圧計。
【請求項９】
血圧測定部位に装着する腕帯と、前記腕帯に加える圧力を調整する加圧・減圧手段、前記加圧・減圧手段により調整される前記腕帯内の圧力を検出する圧力検出手段および前記圧力検出手段による検出圧力に基づき血圧を算出する血圧算出手段を有する血圧測定手段と、前記血圧算出手段により出力された血圧のデータを記憶する記憶部と、少なくとも前記血圧のデータを表示する表示部、とを備えた電子血圧計において、さらに、
複数種類の測定条件のうちから、所定の測定条件を選択する選択手段と、
前記血圧測定手段による血圧測定開始前に、被測定者に前記選択手段を用いて前記所定の測定条件を選択するように促す選択要求を提示する選択要求手段と、
前記血圧算出手段により出力された前記血圧のデータと前記選択手段により選択された前記所定の測定条件とを関連付けて前記記憶部に格納するデータ格納手段とを備える、電子血圧計。
【請求項１０】
前記選択要求手段は、前記選択要求として、前記選択手段を用いて前記所定の測定条件を選択するように促すメッセージを前記表示部に表示することを特徴とする、請求項８または９に記載の電子血圧計。
【請求項１１】
前記選択要求手段は、前記選択要求として、前記選択手段を用いて前記所定の測定条件を選択するように促すメッセージを音声出力することを特徴とする、請求項８または９に記載の電子血圧計。
【請求項１２】
前記選択要求手段は、前記選択要求として、前記選択手段を光を用いた所定態様で提示することを特徴とする、請求項８または９に記載の電子血圧計。
【請求項１３】
血圧測定部位に装着する腕帯と、前記腕帯に加える圧力を調整する加圧・減圧手段、前記加圧・減圧手段により調整される前記腕帯内の圧力を検出する圧力検出手段および前記圧力検出手段による検出圧力に基づき血圧を算出する血圧算出手段を有する血圧測定手段と、前記血圧算出手段により出力された血圧のデータを記憶する記憶部と、少なくとも前記血圧のデータを表示する表示部、とを備えた電子血圧計と情報処理装置とを備える血圧測定システムであって、
前記電子血圧計は、さらに、
前記血圧測定手段による血圧測定開始前に、複数種類の測定条件のうちから、所定の測定条件を選択する選択手段と、
前記選択手段により前記所定の測定条件の選択がされたことに応じて前記血圧測定手段による血圧測定を開始させる制御手段と、
前記血圧算出手段により出力された前記血圧のデータと前記選択手段により選択された前記所定の測定条件とを関連付けて前記記憶部に格納するデータ格納手段とを備え、
前記情報処理装置は、
前記記憶部に格納された内容を前記電子血圧計から受理して、受理した内容に基づき血圧管理情報を生成する情報生成手段と、
前記情報生成手段により生成された前記血圧管理情報を表示する情報表示手段とを備える、血圧測定システム。
【発明の詳細な説明】
【技術分野】
【０００１】
この発明考案は電子血圧計および血圧測定システムに関し、特に心血管リスクに関する情報を測定・記録することができる電子血圧計および血圧測定システムに関する。
【背景技術】
【０００２】
血圧は心機能を解析するバロメータであり、血圧に基づいてリスク解析を行なうことは、たとえば脳卒中や心不全や心筋梗塞などの心血管系の疾患を予防する上で有効である。たとえば、モーニングサージと呼ばれる、起床後１時間から１時間半ぐらいの間に生じる急峻な血圧上昇は脳卒中との間に因果関係があり、心血管系の疾患のリスク解析を行なうには、血圧変化の相互関係を把握する必要がある。このように、血圧は個々の身体活動やストレスへの反応、行動様式に対する心血管の反動によって変化し、また、睡眠時に血圧は下降し、覚醒前後に上昇に転ずるという日内変動リズムがある。
【０００３】
上述の血圧変動の要因に着目し、出願人により特許文献１に記載の血圧計が提案された。当該血圧計では、測定された血圧値と、測定時刻情報や測定条件を対応づけて格納し、たとえば、朝時間帯と夕方時間帯などの特定の時間帯に測定された血圧値の平均値をそれぞれ算出し、その算出結果に基づいてリスク値を算出、表示する。当該血圧計では、血圧計に搭載された時計機能より得た時刻により測定時刻情報を得て、得られた測定時刻情報と測定値とは対応付けされて自動で分類し格納される。
【０００４】
また、血圧被測定者の測定当時の生理的または心理的状況などは血圧測定に影響を与えるなど上述と同様の変動要因に着目して、特許文献２に記載の血圧計が提案されている。当該血圧計では、被測定者が電源をＯＮし、起動キーを操作して血圧測定を開始すると、血圧測定の結果は表示されて、それから、被測定者が測定当時の状況（飲酒、耳鳴り、寝起き直後、運動後、入浴後）の選択キーを操作すると、測定値と選択された状況とが対応付けてメモリに格納される。
【特許文献１】特開２００４−２６１４５２号公報
【特許文献２】実用新案登録第３０７０６７６号公報
【発明の開示】
【発明が解決しようとする課題】
【０００５】
特許文献１と２の血圧計では、測定時刻情報と対応づけて測定値を格納する場合には、血圧計の時計の設定を間違えた場合、誤った測定時刻情報が測定値に対応づけられる、また、シフトワーカーのように、起床・就寝などの生活サイクルが通常の人とは異なる場合でも、血圧を測定した時間帯に基づいてリスク値を算出しているため、本来の覚醒後・就寝前の測定値から算出するリスク値とは乖離するなどの課題が残されていた。
【０００６】
また、測定条件は血圧計に設けられた条件入力スイッチを操作して、測定の都度入力するようにしている。そのため、測定のたびに条件入力スイッチを操作しなければならずスイッチ操作が煩雑である、また、条件入力スイッチの操作忘れにより、測定値に誤った測定条件が対応づけられ、正しいリスク値が算出されないという課題が残されている。
【０００７】
それゆえにこの発明の目的は、より正確な血圧データと測定条件の対応付けを可能ならしめる電子血圧計および血圧測定システムを提供することである。
【課題を解決するための手段】
【０００８】
この発明のある局面に従う電子血圧計は、血圧測定部位に装着する腕帯と、腕帯に加える圧力を調整する加圧・減圧手段、加圧・減圧手段により調整される腕帯内の圧力を検出する圧力検出手段および圧力検出手段による検出圧力に基づき血圧を算出する血圧算出手段を有する血圧測定手段と、血圧算出手段により出力された血圧のデータを記憶する記憶部と、少なくとも血圧のデータを表示する表示部、とを備えさらに、
血圧測定手段による血圧測定開始前に、複数種類の測定条件のうちから、所定の測定条件を選択する選択手段と、
選択手段により所定の測定条件の選択がされたことに応じて血圧測定手段による血圧測定を開始させる制御手段と、
血圧算出手段により出力された血圧のデータと前記選択手段により選択された所定の測定条件とを関連付けて記憶部に格納するデータ格納手段とを備える。
【０００９】
このように、選択手段により所定の測定条件が選択されると、血圧測定が開始されて、測定して得られた血圧のデータは、選択された所定の測定条件と関連付けされて記憶部に格納されるから、別途、測定条件を入力する操作を省略できる。
【００１０】
好ましくは、選択手段は、測定開始を指示するために外部から操作される操作部と兼用されるので、測定条件の選択手段と測定開始指示部とが兼用された装置構成を簡略化できる。
【００１１】
好ましくは、操作部は、複数種類の測定条件それぞれが対応付けされた複数のスイッチを有し、
複数のスイッチのいずれかが操作されることに応じて、当該スイッチに対応付けされた種類の測定条件が前記所定の測定条件として選択されて、
複数種類の測定条件には、「起床後」および「就寝前」それぞれにおける血圧測定であることを示す測定条件が含まれる。
【００１２】
したがって、個々の被測定者の生活サイクル（シフト勤務など）に適した測定条件を選択できる。
【００１３】
好ましくは、複数種類の測定条件には、「服薬前」、「服薬後」、「運動前」および「運動後」のそれぞれにおける血圧測定であることを示す測定条件が含まれる。
【００１４】
好ましくは、データ格納手段は、血圧測定毎に、選択された所定の測定条件と血圧のデータとを対にして記憶部に格納する。
【００１５】
好ましくは、記憶部には、複数種類の測定条件のそれぞれ毎に記憶領域が設けられて、データ格納手段は、血圧測定毎に、選択された所定の測定条件に該当の記憶領域に血圧のデータを格納する。
【００１６】
好ましくは、記憶部に格納された同一の前記測定条件の下で測定された少なくとも１個の血圧のデータを含む血圧データ群と、異なる測定条件下で測定された血圧データ群との相互関係に基づく評価量を算出する手段をさらに備える。
【００１７】
好ましくは、血圧測定手段による血圧測定開始前に、被測定者に選択手段を用いて所定の測定条件を選択するように促す選択要求を提示する選択要求手段をさらに備える。
【００１８】
この発明の他の局面に従う電子血圧計は、血圧測定部位に装着する腕帯と、腕帯に加える圧力を調整する加圧・減圧手段、加圧・減圧手段により調整される腕帯内の圧力を検出する圧力検出手段および圧力検出手段による検出圧力に基づき血圧を算出する血圧算出手段を有する血圧測定手段と、血圧算出手段により出力された血圧のデータを記憶する記憶部と、少なくとも血圧のデータを表示する表示部、とを備えて、さらに、
複数種類の測定条件のうちから、所定の測定条件を選択する選択手段と、
血圧測定手段による血圧測定開始前に、被測定者に選択手段を用いて所定の測定条件を選択するように促す選択要求を提示する選択要求手段と、
血圧算出手段により出力された血圧のデータと選択手段により選択された所定の測定条件とを関連付けて記憶部に格納するデータ格納手段とを備える。
【００１９】
好ましくは、選択要求手段は、選択要求として、選択手段を用いて所定の測定条件を選択するように促すメッセージを表示部に表示する。
【００２０】
好ましくは、選択要求手段は、選択要求として、選択手段を用いて所定の測定条件を選択するように促すメッセージを音声出力する。
【００２１】
好ましくは、選択要求手段は、選択要求として、選択手段を光を用いた所定態様で提示する。
【００２２】
この発明のさらに他の局面に従う血圧測定システムは、血圧測定部位に装着する腕帯と、腕帯に加える圧力を調整する加圧・減圧手段、加圧・減圧手段により調整される腕帯内の圧力を検出する圧力検出手段および圧力検出手段による検出圧力に基づき血圧を算出する血圧算出手段を有する血圧測定手段と、血圧算出手段により出力された血圧のデータを記憶する記憶部と、少なくとも血圧のデータを表示する表示部、とを備えた電子血圧計と情報処理装置とを備える。
【００２３】
電子血圧計は、さらに、血圧測定手段による血圧測定開始前に、複数種類の測定条件のうちから、所定の測定条件を選択する選択手段と、選択手段により所定の測定条件の選択がされたことに応じて血圧測定手段による血圧測定を開始させる制御手段と、血圧算出手段により出力された血圧のデータと選択手段により選択された所定の測定条件とを関連付けて記憶部に格納するデータ格納手段とを備える。
【００２４】
情報処理装置は、記憶部に格納された内容を電子血圧計から受理して、受理した内容に基づき血圧管理情報を生成する情報生成手段と、情報生成手段により生成された前記血圧管理情報を表示する情報表示手段とを備える。
【発明の効果】
【００２５】
この発明によれば、電子血圧計の構成を起床後、就寝前、通常などの複数種類の測定条件から所定の測定条件を選択するための選択手段を設け、選択手段で所定の測定条件が選択されると、当該選択操作に応じて測定開始されて、測定された血圧のデータは、選択された所定の測定条件と関連付けされた記憶部に自動的に格納して管理することができる。
【００２６】
また、測定条件の選択が測定開始の指示として兼用されるから、測定の都度、測定条件を別に入力する必要がないので、測定条件の入力忘れ防止、測定条件の誤入力を防止できる。
【００２７】
また、このようにして記憶部に格納された同一の測定条件の下で測定された血圧データ群と、異なる測定条件下で測定された血圧データ群との相互関係に基づく評価量を算出するので、電子血圧計内部の時計の誤設定による、測定結果と間違った測定条件との関連づけによる、評価量の誤算出が防止される。
【００２８】
また、測定条件として起床後、就寝前、通常と種類別に設けた場合に、被測定者は選択手段を介して自己の生活サイクルに合わせた測定条件（起床後、就寝前など）の設定が可能であるから、シフトワーカーなど、起床・就寝などの生活サイクルが通常とは異なる人であっても、記憶部に関連付けされて格納された測定条件と血圧のデータを用いれば、被測定者の生活サイクルをより的確に反映した評価量を算出できる。
【００２９】
また、上述のように測定の都度、測定条件を別に入力する必要がなくなるため、測定条件の入力忘れ防止、測定条件の誤入力防止ができ、その結果、評価量の誤算出を防止できる。
【００３０】
また上記評価量を含む血圧管理情報の生成と表示は、電子血圧計の外部情報処理装置にて行なうシステムを提供できる。
【発明を実施するための最良の形態】
【００３１】
以下、この発明の実施の形態について図面を参照して詳細に説明する。以下の説明では、同一の部品および構成要素には同一の符号を付してある。それらの名称および機能も同じである。したがってそれらについての詳細な説明は繰返さない。
【００３２】
（構成）
図１を参照して本実施の形態に係る電子血圧計は、血圧計本体１と、被測定者の血圧測定部位に装着されて空気圧により加圧するための腕帯２と、血圧計本体１と腕帯２とを接続するエア管３とを備える。
【００３３】
血圧計本体１は被測定者が表示内容を確認可能なように設けられた表示部４、被測定者が外部から操作可能なように設けられた電源スイッチ５、測定スイッチ６、７および８、メモスイッチ９、通信スイッチ１０およびリスク表示スイッチ１１、スピーカ２４、血圧計本体１に外部から記録媒体を着脱自在に装着するための記録媒体装着部４１、および血圧計本体１と外部装置と通信するためのケーブル（図示せず）を着脱自在に装着するための通信コネクタ部４２を有する。
【００３４】
電源スイッチ５は血圧計本体１の電源をＯＮ／ＯＦＦするために操作される。測定スイッチ６、７および８のそれぞれは血圧測定の開始を指示するために操作される、測定スイッチ６は血圧測定が就寝前、たとえば就寝前２時間以内に行なわれる場合において操作され、同様に測定スイッチ７は起床後、たとえば起床後２時間以内に行なわれる場合において操作されて、測定スイッチ８はその他の場合に血圧測定されるときに操作される。測定スイッチ６、７および８のそれぞれには‘就寝前’、‘起床後’および‘通常’の文字がプリントされている。
【００３５】
メモスイッチ９は、血圧測定が特別の状況で行なわれた場合に操作される。例えば、被測定者は、処方された薬剤を服用後に血圧測定することが医家より指示されていた場合において、服用し忘れた状態で血圧測定した場合にはメモスイッチ９を操作することにより、測定結果は薬の服用しない状態での測定結果であることを示す情報が付加されて記録される。この対応付けの詳細は後述する。
【００３６】
通信スイッチ１０は、血圧計本体１により測定された結果データを外部装置に通信により送信する場合に操作される。リスク表示スイッチ１１は、血圧計本体１による測定結果データに基づく心血管リスクの情報を表示部４に表示するために操作される。
【００３７】
図２には血圧計本体１の内部構成が示される。図２を参照して血圧計本体１は腕帯２に内蔵されている空気袋であるカフ２１を介して検出される被測定部位の脈圧の変化を脈波の信号として出力するための圧力センサ１４、圧力センサ１４から出力される脈波信号を示す電圧信号に従う周期のパルス信号を出力する発振回路１５、カフ２１による加圧（空気圧）レベルを調整するためのポンプ１６および弁１８、ポンプ１６を駆動するポンプ駆動回路１７、弁１８の開閉を調整するための弁駆動回路１９、表示部４、メモリ１２、操作部２１０、計時動作して計時データを出力するタイマ１３、記録媒体アクセス部２２、通信Ｉ／Ｆ（インターフェィスの略）２３、スピーカ２４、音声データメモリ２５およびバッテリ２９ならびにこれら各部を制御するＣＰＵ（Central Processing Unit）２０を含む。カフ２１と圧力センサ１４、ポンプ１６および弁１８とはエア管３を介して接続される。ここでは、バッテリ２９により各部に駆動用の電源が供給されるとしているが、商用電源から供給されるようにしてもよい。ＣＰＵ２０は、発振回路１５から入力するパルス信号に基づき血圧値、脈拍数などを算出する。
【００３８】
操作部２１０は、図１に示した電源スイッチ５、測定スイッチ６、７および８、メモスイッチ９、通信スイッチ１０およびリスク表示スイッチ１１を有する。
【００３９】
記録媒体アクセス部２２は、記録媒体装着部４１に装着された記録媒体についてＣＰＵ２０の制御のもとにデータを読出しまたは書き込む。通信Ｉ／Ｆ２３は、通信コネクタ部４２に接続されたケーブルを介してＣＰＵ２０の制御のもとに外部装置と通信する。
【００４０】
メモリ１２には、測定結果データ、血圧測定動作、表示部４を介した表示動作、通信動作などを制御するための各種プログラムおよびデータが格納される。
【００４１】
上述した構成において、血圧測定に際しては、ＣＰＵ２０は発振回路１５から出力されたパルス信号（圧力信号）をデジタルデータに変換した後、当該データについて所定のアルゴリズムを適用して最高血圧・最低血圧を決定するとともに、脈拍数を算出する。このような測定の手順は従来から提供される周知の手順を適用できるから、ここではその詳細説明は略す。
【００４２】
図１と図２に示すように、本実施の形態に係る電子血圧計では、血圧の測定開始を指示するための操作スイッチである複数の測定開始スイッチ６、７および８を設け、それぞれの測定開始スイッチに、生活リズムに従う測定時間帯の区分（就寝前、起床後、通常）である測定条件を予め割当て、測定結果は血圧測定の開始指示のために操作したスイッチが示す測定条件と関連付けてメモリ１２の所定領域に格納する。このように、本実施の形態に係る電子血圧計では、測定開始を指示するためのスイッチと測定条件を選択するためのスイッチとが兼用される。このようなスイッチ操作により血圧測定がされた場合の測定結果のメモリ１２への格納例が図３（Ａ）と（Ｂ）に示される。
【００４３】
対応付けした格納の具体例として、図３（Ａ）に示すように、測定結果を測定開始のために操作された測定開始スイッチに対応の測定条件情報、すなわち測定時間帯の区分：就寝前、起床後、通常の別に基づいてグループ化して、メモリ１２のグループごとの領域２６、２７および２８に格納する方法が挙げられる。領域２６、２７および２８それぞれには、測定結果はレコードＲ単位で格納される。レコードＲは、測定時刻データＴ、メモフラグＭ、最高血圧を示す最高血圧データＳＢＰ、最低血圧を示す最低血圧データＤＢＰおよび脈拍数を示す脈拍数データＰＬＳを含む。これらデータは、測定毎に対応付けされて各領域に格納されればよく、レコードＲを用いた格納形式に限定されるものではない。
【００４４】
測定時刻データＴは、タイマ１３により計時された測定時刻（測定開始または終了の時刻）のデータをＣＰＵ２０が入力してレコードＲに格納する。メモフラグＭは０または１を示す。ＣＰＵ２０は、血圧測定する場合にメモスイッチ９が操作されたか否かを検出して、検出結果に基づき、当該測定結果のレコードＲのメモフラグＭの値をセットする。具体的には、メモスイッチ９が操作された場合には当該レコードＲのメモフラグＭを１にセットし、操作されなければ０をセットする。
【００４５】
以降の説明においては、図３（Ａ）に示すように、測定条件情報に基づきグループ化され各々のメモリ領域に血圧値が格納されているものとするが、言うまでもなく関連付けの方法はこのような方法に限定されない。例えば、図３（Ｂ）のように、血圧値と測定条件情報とを対にしてメモリ１２に格納する方法であってもよい。図３（Ｂ）では、血圧値と条件情報とを対にして格納したレコードＲｉ（ｉ＝１，２，３,…,ｎ）が血圧測定毎にメモリ１２に格納される。レコードＲｉには、測定時刻データＴｉ、最高血圧データＳＢＰｉ、最低血圧データＤＢＰｉ、脈拍数データＰＬＳｉ、ならびに測定条件データＣ１、Ｃ２およびＣ３のいずれかが格納される。測定条件データＣ１、Ｃ２およびＣ３それぞれは、測定開始のために操作された測定開始スイッチに対応の測定条件情報、すなわち測定時間帯の区分：就寝前、起床後、通常のそれぞれに対応する。
【００４６】
（リスク値の算出）
本実施の形態では、測定されてメモリ１２に格納された血圧値に基づき心血管のリスクが算出される。具体的には、ＣＰＵ２０は内部のメモリまたはメモリ１２に予め格納された心血管のリスク値算出のプログラムに基づきリスク値を算出する。リスク値算出のために、まず、ＣＰＵ２０は、メモリ１２に格納された血圧値を読出して、図３（Ａ）に示されるような領域２６、２７および２８のそれぞれごとに、血圧値の平均を算出する処理を行なう。すなわち、同じ測定条件下で測定された血圧データを含む血圧データグループのグループ内平均を、血圧データグループごとに算出する。そして、血圧データグループ内の算出された平均の血圧値を用いてリスク値を算出する。
【００４７】
平均の血圧値の算出は次の式を用いて行なわれる。
【００４８】
起床後測定ＳＢＰ平均＝（起床後測定結果ＳＢＰ１＋起床後測定結果ＳＢＰ２＋・・・＋起床後測定結果ＳＢＰｎ）／ｎ（ただし、ｎ＝１，２，３，…）
就寝前測定ＳＢＰ平均＝（就寝前測定結果ＳＢＰ１＋就寝前測定結果ＳＢＰ２＋・・・＋就寝前測定結果ＳＢＰｍ）／ｍ（ただし、ｍ＝１，２，３，…）
また、リスク値算出のために、以下の式に従い算出される、就寝前の時間帯と起床直後の時間帯とに測定した血圧値の平均値（ＭＥ平均値）と、両者の差（ＭＥ差）とを用いる。
【００４９】
ＭＥ差＝起床後測定ＳＢＰ平均−就寝前測定ＳＢＰ平均
ＭＥ平均＝（起床後測定ＳＢＰ平均＋就寝前測定ＳＢＰ平均）／２
このようなリスク値の算出は、脳卒中、心不全、脳梗塞、脳出血、くも膜下出血、一過性脳虚血発作、転倒、失神、めまい、ふらつき、心筋梗塞、狭心症、無症候性心虚血、不整脈、突然死、解離性大動脈瘤、および大動脈瘤破裂などの心血管事故を防止するのに特に有効である。
【００５０】
血圧は種々の要因に影響されてばらつくため、好ましくは複数日にわたってこれらの時間帯で血圧測定を繰返し、それぞれの時間帯について平均値を求めてからＭＥ平均値やＭＥ差を得て、結果を求めた方がリスク推定の精度が向上する。
【００５１】
本発明にかかる電子血圧計では、算出したリスク値に従いリスク分析処理を実行することで、就寝前の時間帯と起床直後の時間帯に測ったそれぞれ少なくとも１つの血圧値を含む血圧データ群（就寝前領域２６および起床後領域２７に含まれるデータ）を得て、各群に含まれる血圧値の平均をそれぞれ算出した後、群どうしの平均値（ＭＥ平均値）と差（ＭＥ差）という２つの心血管系疾患のリスク値を算出して、そのリスク値を結果として提示（表示）する。リスク値の結果は前述のようにＭＥ平均値およびＭＥ差を提示するだけでなく、特許文献１の第４図に開示されるような方法で出力させてもよい。
【００５２】
（測定手順）
本実施の形態の電子血圧計では、図１に示したように血圧測定開始を指示するために操作される複数の測定開始スイッチを測定条件毎に設けている。
【００５３】
図４のフローチャートに従う血圧測定動作について説明する。図４のフローチャートは、予めプログラムとしてメモリ１２に格納されて、ＣＰＵ２０により読出されて実行される。
【００５４】
まず、被測定者は腕帯２を測定部位に巻き付けて、電子血圧計の電源スイッチ５を操作すると、操作信号はＣＰＵ２０に与えられるので、ＣＰＵ２０は操作信号に基づきバッテリ２９による各部へ電源供給を開始する（ステップＳ（以下、単にＳと略す）１）。次に、ＣＰＵ２０は、電子血圧計の初期化処理として、各部を制御してカフ２１内の空気を排気し、圧力センサ１４の０ｍｍＨｇ補正を行なう（Ｓ３）。
【００５５】
次に、被測定者は測定条件に応じた測定開始スイッチ、すなわち就寝前スイッチ６、起床後スイッチ７および通常スイッチ８のいずれかを操作すると（Ｓ５）、操作されたスイッチ毎に異なる操作信号が操作部２１０からＣＰＵ２０に与えられる。ＣＰＵ２０は、与えられる操作信号に基づきいずれのスイッチが操作されたかを判別し、判別結果が示すスイッチに対応の測定条件のデータを内部メモリに一時的に記録する（Ｓ７）。また、このときのタイマ１３の計時による現在の時刻データを入力して、測定時刻データＴとして内部メモリに一時的に記録する。
【００５６】
操作スイッチに基づく測定条件の判別は、例えば次のようにして行なわれる。つまり、メモリ１２には操作部２１０に設けられたスイッチ毎に、当該スイッチが操作されたことを示す操作信号のデータと、当該操作信号が示す指示内容のデータとが対応付けて格納されている。したがって、操作信号に基づき、この対応付けされたデータを検索して、対応の指示内容のデータを読出すことができる。そして読出した指示内容のデータを解釈することで、測定条件付けされたこと、および条件付けされた測定条件（就寝前測定、起床後測定、通常の別）を判別することができる。
【００５７】
上述した測定開始スイッチの操作に応じて、ＣＰＵ２０は各部を制御して、被測定者の最高血圧＋４０ｍｍＨｇ程度まで加圧した後（Ｓ９）、徐々にカフ２１内の圧力を減圧していく（Ｓ１１）。この減圧過程においてカフ２１内の圧力を圧力センサ１４で検出して、ＣＰＵ２０は検出された圧力に基づき血圧（最高血圧および最低血圧）値ならびに脈拍数を算出し（Ｓ１３）、算出された血圧値および脈拍数を表示部４に表示する（Ｓ１５）。Ｓ９〜Ｓ１５の血圧測定のための処理は従来の電子血圧計のそれと同様である。なお、ここでは血圧測定は減圧過程でするとしているが加圧過程で行なうようにしてよい。
【００５８】
ＣＰＵ２０は、血圧算出・表示が終了すると、Ｓ５で操作された測定開始スイッチが指示する測定条件のデータに対応したメモリ１２の領域に、測定結果（血圧値および脈拍数）および測定時刻データＴを格納したあらたなレコードＲを登録する（Ｓ１７）。
【００５９】
その後、ＣＰＵ２０は、メモリ１２の各領域のデータが、リスク値を算出可能な数だけ、たとえば少なくとも１つ以上記録されたか否かを判定し（Ｓ１９）、記録されていないと判定すると（Ｓ１９でＮＯ）一連の処理を終了するが、各領域のデータが、リスク値を算出可能な数だけ記録されたと判定した場合には（Ｓ１９でＹＥＳ）、上述した手順に従い各領域のデータ群の平均値を算出する（Ｓ２１）。そして、心血管系疾患のリスク値としてＭＥ平均値とＭＥ差を算出して（Ｓ２３）、算出したリスク値を表示部４に表示する（Ｓ２４）。
【００６０】
（他の実施例）
本実施の形態では、測定条件の種類は、生活リズムに対応づけて就寝前、起床後および通常を設けているが、種類および数はこれに限定されない。たとえば、服薬前、服薬後、運動前、運動後などの測定条件が設けられてもよい。
【００６１】
図４の手順では、被測定者は電源スイッチ９を操作後に、続いて、測定条件に一致した想定開始スイッチを操作することで測定開始されることを知っていると想定しているが、それを知らない被測定者もいるであろう。したがって、測定開始スイッチを操作することで血圧測定が開始される旨を具体的に報知するようにしてもよい。例えば、初期化（Ｓ３）の終了後に、ＣＰＵ２０は表示部４に図５のようなメッセージを表示するようにしてもよい。図５では表示部４はウィンドウ５１と５２を有し、ウィンドウ５１には被測定者に対して測定条件と操作すべき操作部２１０の測定スイッチとの対応がメッセージで報知される。当該メッセージは、被測定者に対して、測定開始前に特定の測定条件を選択することを促す選択要求のメッセージとして機能する。ウィンドウ５２には測定結果が表示される。被測定者はウィンドウ５１のメッセージを確認することで測定開始を指示するための測定開始スイッチを容易に特定できる。
【００６２】
また、図５で表示されるような選択要求のメッセージを音声で提示するようにしてもよい。具体的には、図５のメッセージの音声データを音声データメモリ２５に予め格納しておき、ＣＰＵ２０は当該音声データを読出し、データ変換してスピーカ２４から音声として出力するようにしてもよい。
【００６３】
または、測定スイッチ６、７および８自体にＬＥＤなどを内蔵して、これらＬＥＤを所定態様（点滅、点灯など）で光らせることで、次に操作すべき測定開始のスイッチを提示するようにしてもよい。
【００６４】
また、メッセージ表示、音声出力およびスイッチの点灯などのうちの２つ以上を組合わせて、測定開始スイッチを操作することで血圧測定が開始される旨を報知するようにしてもよい。
【００６５】
また、メモスイッチ９が操作される場合には、Ｓ５〜Ｓ１５のいずれかのタイミングで操作される。メモスイッチ９が操作された場合には、ＣＰＵ２０は、‘１’にセットしたメモフラグＭを一時的に記録して、Ｓ１７において測定結果と対応付けて当該メモフラグＭをメモリ１２に記録する。また、メモスイッチ９が操作された場合には、その旨をＳ１５において測定結果とともに表示してもよい。またＳ２３にリスク値算出のために元となった測定結果にメモリスイッチ９が操作されたときの測定結果が含まれている場合には、Ｓ２４で、その旨をリスク値とともに表示するようにしてもよい。
【００６６】
また、本実施の形態では、血圧測定からの一連の操作によりリスク値算出・表示の処理が実行されるとしたが、要求される場合にのみ行なわれるようにしてもよい。つまり、Ｓ１９〜Ｓ２４の処理は、Ｓ１７による記録後に、被測定者がリスク表示スイッチ１１を操作した場合に行なわれるようにしてもよい。
【００６７】
他の実施の形態として、上述の実施の形態に示す電子血圧計と情報処理装置を備える血圧測定システムが提供される。
【００６８】
当該システムでは、各データ群の平均値を算出し、リスク値を算出・表示する機能は、電子血圧計ではなく外部の情報処理装置であるパーソナルコンピュータ等で実行可能である。例えば、図６のように、外部のパーソナルコンピュータ４０には、電子血圧計のメモリ１２から読出された各データ群について、その平均値を算出しリスク値を算出・表示する機能を備えておく。電子血圧計とパーソナルコンピュータ４０は通信回線３を介して接続する。電子血圧計は通信Ｉ／Ｆ２３および通信コネクタ部４２を用いて通信可能な状態となり、この状態で被測定者が通信スイッチ１０を操作すると、ＣＰＵ２０はメモリ１２に格納された領域２６〜２８のデータを読出して通信Ｉ／Ｆ２３および通信回線３を介してパーソナルコンピュータ４０に転送する。ここで、通信回線３はローカルエリアネットワークなどの専用回線、電話回線などの公衆回線を適用できる。
【００６９】
また、図６の通信回線３を介したデータ転送に代替して、図７のようにメモリカードなどの記録媒体２７を用いて測定データの授受を行なうようにしてもよい。具体的には、記録媒体２７を記録媒体アクセス部２２に装着して、ＣＰＵ２０はメモリ１２の領域２６〜２８のデータを読出して記録媒体アクセス部２２に装着された記録媒体２７に書込む。書込み後、記録媒体２７を取外しパーソナルコンピュータ４０に装着してデータが読出されることで、転送が行なわれる。記録媒体２７が記憶媒体アクセス部２２に装着されている場合には、図４のＳ１７における測定結果の記憶先をメモリ１２に代えて、記録媒体２７としてもよい。
【００７０】
また、パーソナルコンピュータ４０は、被測定者の血圧管理情報を生成して表示するようにしてもよい。この血圧管理情報は、上述のリスク値の算出の他に、メモリ１２から読出された各データ群について、月単位で最高血圧の平均値、最低血圧の平均値、脈拍数の平均値などが含まれる。表示おいては、生成された月単位の最高血圧の平均値、最低血圧の平均値、脈拍数の平均値は、ＷＨＯなどから提示されている所定の指標（適正血圧値、適正脈拍数）と関連付けて表示されてもよい。
【００７１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】本実施の形態に係る電子血圧計の概観図である。
【図２】本実施の形態に係る電子血圧計の内部構成図である。
【図３】（Ａ）と（Ｂ）は、メモリの記憶内容例を示す図である。
【図４】本実施の形態に係る処理フローチャートである。
【図５】本実施の形態に係る表示の一例を示す図である。
【図６】他の実施の形態に係るシステムの構成例を示す図である。
【図７】他の実施の形態に係るシステムの構成例を示す図である。
【符号の説明】
【００７３】
１  血圧計本体、２  腕帯、３  エア管、４  表示部、５  電源スイッチ、６，７，８  測定スイッチ、１２  メモリ。
【図１】
2006158879.tif 000003
【図２】
2006158879.tif 000004
【図３】
2006158879.tif 000005
【図４】
2006158879.tif 000006
【図５】
2006158879.tif 000007
【図６】
2006158879.tif 000008
【図７】
2006158879.tif 000009